(57)【要約】【課題】遮蔽羽を何れの方向に傾けた状態であっても、帯孔の縁が竿帯の刻み目の溝に引っ掛かることなく滑らかな移動竿の移動操作の出来る刻み目付竿帯を備える水平遮蔽羽ブラインドを得る。  【解決手段】  遮蔽羽の帯孔の竿帯の刻み目に面する側の縁部に羽の上面側へ突出する上部突出部と下面側に突出する下部突出部からなる突起部を設ける。  【選択図】        図１
2005226418.tif 000002
【特許請求の範囲】
【請求項１】
帯孔の竿帯の刻み目に面する側の縁部に遮蔽羽の上面側へ突出する上部突出部（８、８ａ、８ｂ、８ｃ）と下面側に突出する下部突出部（９、９ａ、９ｂ、９ｃ）からなる突起部（１０，１０ａ、１０ｂ、１０ｃ）を設けたことを特徴とする水平遮蔽羽ブラインドの遮蔽羽。
【請求項２】
帯孔の縁部の内側位置に遮蔽羽の上面側へ突出する上部突出部（８）と下面側へ突出する下部突出部（９）が横に交互に並ぶように形成した突起部（１０）を備えることを特徴とする請求項１記載の水平遮蔽羽ブラインドの遮蔽羽。
【発明の詳細な説明】
【技術分野】
【０００１】
本発明は、水平遮蔽羽ブラインドの遮蔽羽（スラット）の改良に関する。特に、移動竿を保持する竿保持体が遮蔽羽を貫通する細い歯付ベルトのような刻み目付竿帯からなっている水平遮蔽羽ブラインドの遮蔽羽の改良に関する。
【背景技術】
【０００２】
水平遮蔽羽ブラインドにおいて、遮蔽羽を貫通する竿保持体として細い歯付ベルトのような刻み目付竿帯を用いる提案が本願と同一出願人の特願２００３−３１４１４８に開示されている。
【発明の開示】
【発明が解決しようとする課題】
【０００３】
竿保持体として細い歯付ベルトのような刻み目付竿帯を用いるものでは、遮蔽羽を強く傾けた状態で移動竿を上下に移動させる際に、遮蔽羽の帯孔の縁が相対的に移動する竿帯の刻み目（歯）の溝に引っ掛かって滑らかな竿移動を妨げる場合がある。竿移動の際に、遮蔽羽が引っ掛からない方向に傾くように工夫したものでは問題ないが、独立した遮蔽羽の傾け装置を備えるものにおいては、遮蔽羽を後述のように特定の方向に強く傾けて竿移動を行う際に、引っ掛かりの問題を生ずる。
本発明の目的は、遮蔽羽を何れの方向に傾けた状態であっても、帯孔の縁が竿帯の刻み目の溝に引っ掛かることがなく、移動竿の滑らかな移動の出来る刻み目付竿帯を備える水平遮蔽羽ブラインドを提供することにある。
【課題を解決するための手段】
【０００４】
上記目的を達成するために、本発明の水平遮蔽羽ブラインドにおいては、遮蔽羽の帯孔の竿帯の刻み目に面する側の縁部に羽の上面側へ突出する上部突出部と下面側に突出する下部突出部からなる突起部を設けたものである。
【０００５】
上記突起部を帯孔の縁部の内側位置に遮蔽羽の上面側へ突出する上部突出部と下面側へ突出する下部突出部が横に交互に並ぶように形成するとよい。
【０００６】
上記突起部を帯孔の縁部の中央位置に遮蔽羽の上面側へ盛上がるように形成される上部突出部と、該上部突出部の前縁側の部分より遮蔽羽の下面側へ丸みをもって突出し外側へ斜めに深く曲げ込まれた下部突出部により形成することも出来る。
【０００７】
上記突起部を帯孔の前縁より僅かに前方側に遮蔽羽の上面側へ山状に突出する上部突出部と下面側へ谷状に突出する下部突出部により形成することも出来る。
【０００８】
上記突起部を帯孔の前側の縁部分に固く嵌め込まれた突起片によって形成することも出来る。
【発明の効果】
【０００９】
帯孔の竿帯の刻み目に面する側の縁部に設けられた突起部が、遮蔽羽が強く傾けられた際にも、移動する竿帯の刻み目の溝に深く入り込むことなく容易に押出されるように働き、竿の移動操作の際に、遮蔽羽の帯孔へ竿帯が引っ掛かることのない刻み目付竿帯を備える水平遮蔽羽ブラインドを得ることが出来る。
【発明を実施するための最良の形態】
【００１０】
帯孔の竿帯の刻み目側の縁部に上面側に突出する上部突起と下面側に突出する下部突起からなる突起部を形成する。
【実施例１】
【００１１】
図１〜３に竿帯との関係で示す遮蔽羽の実施例が示されている。図１では遮蔽羽１が後側下がりに傾いた状態で描かれている。そして、竿帯２は遮蔽羽１に対して矢印３で示すように上方向に移動している。符号Ｌで示す間隔は略四角形の帯孔４の前縁５と後縁６の間隔即ち帯孔の縦寸法である。遮蔽羽１は後側下がりに一杯に傾いており、後縁５は竿帯２の背面７に接する程に接近している。一方、前縁５側には羽の上面側へ突出する上部突出部８と下面側へ突出する下部突出部９からなる突起部１０が設けてある。該突起部１０は羽の前側へ伸びる瞳状の断面形状をなしており、その前縁５側は半円ないし半楕円形状の丸みを持った形になっている。その高さは竿帯の歯溝１１に対し深く入り込めない高さに形成されている。図１において突起部１０はその上部突出部８側が歯溝１１に浅く落ち込んだ状態になっている。ここで竿帯２が上方向へ移動することにより歯溝１１の下側の歯先１２は突起部１０の丸い前縁５側を前側へ押出すようにして滑らかに進み、引っ掛かることがない。図１より、竿帯２が下方向に移動する際にも、歯溝１１の上側の歯先は突起部１０を前側へ押出すようにして進み、引っ掛かることなく流れることが解る。このように遮蔽羽の後側下がりの傾き状態での竿帯への引っ掛かりが防止される。図２は遮蔽羽１が前側下がりに一杯に傾いた状態が描かれている。竿帯２は遮蔽羽１に対して矢印１３で示すように下方向に移動している。ここでも後縁６は竿帯２の背面７に接する程に接近している。図２において突起部１０はその下部突出部１２側が歯溝１１に浅く落ち込んだ状態になっている。ここで竿帯２が下方向へ移動することにより歯溝１１の上側の歯先１４は突起部１０の丸い前縁５側を前側へ押出すようにして滑らかに進み、引っ掛かることがない。図２より、竿帯２が上方向に移動する際にも、歯溝１１の下側の歯先は突起部１０を前側へ押出すようにして進み、引っ掛かることなく流れることが解る。このように遮蔽羽の前側下がりの傾き状態での竿帯への引っ掛かりが防止される。図３において符号Ｗで示す間隔は竿帯２の幅で、符号ＷＨで示す間隔は帯孔４の右縁１５と左縁１６の間隔、即ち帯孔の幅である。上部突出部８と下部突出部９は竿帯２の幅の内側位置で遮蔽羽の上面側と下面側へ横並びに交互に突出するように形成されている。このように前縁５の前側に上面側へ突出する上部突出部８と下面側へ突出する下部突出部９からなる突起部１０を設けることによって、刻み目付竿帯の何れの方向への相対移動に対しても引っ掛かることのない遮蔽羽を得ることが出来る。ここに示す突起部１０は遮蔽羽面に比較的簡単に成型加工することが出来る。
【実施例２】
【００１２】
図４〜５は他の実施例を示す。ここで、前述の実施例と同じ部分には同一の符号にａの添字を付して示し、その詳しい説明を省略する。突起部１０ａは、帯孔４ａの前縁側の中央位置に遮蔽羽１ａの上面側へ盛上がるように形成される上部突出部８ａと、該上部突出部８ａの前縁５ａ側の部分より遮蔽羽の下面側へ丸みをもって突出し羽の前側へ斜めに深く曲げ込まれた下部突出部９ａにより形成され、略瞳形の断面形状を成している。この実施例は前縁５ａが上部突出部８ａ側から下部突出部９ａ側に滑らかに連続するように形成される利点がある。
【実施例３】
【００１３】
図６は他の実施例を示す。ここでも、前述の実施例と同じ部分には同一の符号にｂの添字を付して示し、その詳しい説明を省略する。突起部１０ｂは、帯孔４ｂの前がわの縁部分に固く嵌め込まれた突起片によって形成されている。該突起片は適度の強度と耐候性等ブラインドとしての機能を支えるに充分な材質のプラスチックや金属等で造られる。
【実施例４】
【００１４】
図７は他の実施例を示す。ここでも、前述の実施例と同じ部分には同一の符号にｃの添字を付して示し、その詳しい説明を省略する。ここで突起部１０ｃは前縁５ｃより僅かに前方側に遮蔽羽の上面側へ山状に突出する上部突出部８ｃと下面側へ谷状に突出する下部突出部９ｃからなっている。図のように帯孔４ｃの前縁５ｃが進行してくる歯溝１１の下側の歯先に引っ掛かる直前の位置にある時、上部突出部８ｃ側が歯の頂面１７に接しており、前縁５ｃと頂面１７との間に符号Ｓの間隔を保って引っ掛かりを防止している。このように突起部１０ｃは羽の傾き方向如何に関わらず前縁５ｃが歯溝１１ｃに引っ掛かることを防ぐ働きをする。通常、遮蔽羽の傾きが強くて、風圧を受ける場合などに引っ掛かりの問題は生じ、遮蔽羽が水平に近い場合は羽側の前後方向の動きに余裕があり、引っ掛かりの問題は生じ難い。
突起部の高さは、竿帯の滑らかな移動の点からは歯溝の幅に対して充分高いほうが好ましいが、遮蔽羽の傾け角度に影響するので、前縁部分の曲率、形状等も含め、求められる遮蔽羽の強い傾け角度、許容される帯孔の縦（Ｌ）寸法等との関連において適当なところで折合わねばならない。
【産業上の利用可能性】
【００１５】
遮蔽羽を貫通する竿保持体として細い歯付ベルトのような刻み目付竿帯を用いる水平遮蔽羽のブラインド等において有効に実施されよう。
【図面の簡単な説明】
【００１６】
【図１】実施例を示す遮蔽羽の帯孔部分における前後方向の縦断面図で、遮蔽羽が後側下がりに傾いた状態を示す図である。
【図２】図１と同じ断面位置で、遮蔽羽が前側下がりに傾いた状態を示す図である。
【図３】図１における５−５断面位置で、帯孔の前縁側を見た図である。
【図４】他の実施例を示す遮蔽羽の帯孔の突起部付近の縦断面図である。
【図５】図４における５−５断面位置で、帯孔の前縁側を見た図である。
【図６】他の実施例を示す遮蔽羽の帯孔の突起部付近の縦断面図である。
【図７】他の実施例を示す遮蔽羽の帯孔部分における前後方向の縦断面図で、遮蔽羽が後側下がりに傾いた状態を示す図である。
【符号の説明】
【００１７】
１、 １ａ、１ｂ、１ｃ  遮蔽羽
２、２ｃ 
竿帯
４、４ｃ 
帯孔
５、５ａ、５ｂ、５ｃ  前縁
６、６ｃ  後縁
７、７ｃ  背面
８、８ａ、８ｂ、８ｃ  上部突出部
９、９ａ、９ｂ、９ｃ  下部突出部
１０、１０ａ、１０ｂ、１０ｃ  突起部
１１、１１ｃ 
歯溝
１２、１４ 
歯先
【図１】
2005226418.tif 000003
【図２】
2005226418.tif 000004
【図３】
2005226418.tif 000005
【図４】
2005226418.tif 000006
【図５】
2005226418.tif 000007
【図６】
2005226418.tif 000008
【図７】
2005226418.tif 000009